(57)【特許請求の範囲】
【請求項１】
外部の情報発信手段とアクセスして、アニメーションファイルを内部メモリにダウンロードするダウンロード手段と、所定の動作を検知すると、上記内部メモリにダウンロードされているアニメーションファイルを解析して、アニメーションをディスプレイに表示する画像処理手段とを備えた携帯型電話機において、上記画像処理手段は、上記内部メモリに複数のアニメーションファイルが格納され、そのアニメーションファイルが電話番号又はメールアドレスと対応付けられている場合には、その電話番号又はメールアドレスを送信元とする着信があると、その電話番号又はメールアドレスに対応するアニメーションファイルを解析することを特徴とする携帯型電話機。
【請求項２】
外部の情報発信手段とアクセスして、アニメーションファイルを内部メモリにダウンロードするダウンロード手段と、所定の動作を検知すると、上記内部メモリにダウンロードされているアニメーションファイルを解析して、アニメーションをディスプレイに表示する画像処理手段とを備えた携帯型電話機において、上記外部の情報発信手段がアニメーションファイルを送信する際、そのアニメーションファイルの用途を指定する場合、上記画像処理手段は、その用途に対応する動作を検知したとき、そのアニメーションファイルを解析することを特徴とする携帯型電話機。
【請求項３】
ダウンロード手段は、インターネットからアニメーションファイルをダウンロードすることを特徴とする請求項１または請求項２記載の携帯型電話機。
【請求項４】
ダウンロード手段は、パーソナルコンピュータからアニメーションファイルをダウンロードすることを特徴とする請求項１または請求項２記載の携帯型電話機。
【請求項５】
ダウンロード手段は、ビデオカメラからアニメーションファイルをダウンロードすることを特徴とする請求項１または請求項２記載の携帯型電話機。
【請求項６】
ダウンロード手段は、外部メモリからアニメーションファイルをダウンロードすることを特徴とする請求項１または請求項２記載の携帯型電話機。
【請求項７】
画像処理手段は、ダウンロード手段によりダウンロードされたアニメーションファイルのファイル形式を所定のファイル形式に変更することを特徴とする請求項１から請求項６のうちのいずれか１項記載の携帯型電話機。
【請求項８】
画像処理手段は、ダウンロード手段によりダウンロードされたアニメーションファイルの画像サイズを、ディスプレイの画像サイズと一致するように変更することを特徴とする請求項１から請求項７のうちのいずれか１項記載の携帯型電話機。
【請求項９】
画像処理手段は、ダウンロード手段が静止画ファイルをダウンロードした場合には、その静止画ファイルを解析して、静止画をディスプレイに表示することを特徴とする請求項１から請求項８のうちのいずれか１項記載の携帯型電話機。
【発明の詳細な説明】
【０００１】
【発明の属する技術分野】
この発明は、アニメーションをディスプレイに表示する機能を有する携帯型電話機に関するものである。
【０００２】
【従来の技術】
アニメーションの表示機能を有する従来の携帯型電話機は、予め内部の固定画像メモリにアニメーションファイルを格納し、例えば、着信を受けると、そのアニメーションファイルを解析して、アニメーションをディスプレイに表示する。
【０００３】
【発明が解決しようとする課題】
従来の携帯型電話機は以上のように構成されているので、予め用意されたアニメーションを表示することができるが、ユーザが適宜アニメーションファイルをダウンロードして、好みのアニメーションを表示することができない課題があった。
なお、インターネットから静止画ファイルをダウンロードすることができる携帯型電話機は特開平４−１２０８４３号公報などに開示されているが、動画ファイルをダウンロードすることが可能な携帯型電話機は存在しない。
【０００４】
この発明は上記のような課題を解決するためになされたもので、ユーザが好みのアニメーションを表示することができる携帯型電話機を得ることを目的とする。
【０００５】
【課題を解決するための手段】
この発明に係る携帯型電話機は、外部の情報発信手段とアクセスして、アニメーションファイルを内部メモリにダウンロードする一方、所定の動作を検知すると、内部メモリにダウンロードされているアニメーションファイルを解析して、アニメーションをディスプレイに表示するようにしたものである。また、内部メモリに複数のアニメーションファイルが格納され、そのアニメーションファイルが電話番号又はメールアドレスと対応付けられている場合には、その電話番号又はメールアドレスを送信元とする着信があると、その電話番号又はメールアドレスに対応するアニメーションファイルを解析するようにしたものである。
【０００６】
この発明に係る携帯型電話機は、外部の情報発信手段がアニメーションファイルを送信する際、そのアニメーションファイルの用途を指定する場合、その用途に対応する動作を検知したとき、そのアニメーションファイルを解析するようにしたものである。
【０００７】
この発明に係る携帯型電話機は、インターネットからアニメーションファイルをダウンロードするようにしたものである。
【０００８】
この発明に係る携帯型電話機は、パーソナルコンピュータからアニメーションファイルをダウンロードするようにしたものである。
【０００９】
この発明に係る携帯型電話機は、ビデオカメラからアニメーションファイルをダウンロードするようにしたものである。
【００１０】
この発明に係る携帯型電話機は、外部メモリからアニメーションファイルをダウンロードするようにしたものである。
【００１１】
この発明に係る携帯型電話機は、ダウンロード手段によりダウンロードされたアニメーションファイルのファイル形式を所定のファイル形式に変更するようにしたものである。
【００１２】
この発明に係る携帯型電話機は、ダウンロード手段によりダウンロードされたアニメーションファイルの画像サイズを、ディスプレイの画像サイズと一致するように変更するものである。
【００１３】
この発明に係る携帯型電話機は、ダウンロード手段が静止画ファイルをダウンロードした場合には、その静止画ファイルを解析して、静止画をディスプレイに表示するようにしたものである。
【００１４】
【発明の実施の形態】
以下、この発明の実施の一形態を説明する。
実施の形態１．
図１はこの発明の実施の形態１による携帯型電話機を示す構成図であり、図において、１は携帯型電話機の無線部、２は相手先電話番号の入力や各種の設定を実行する操作部、３は携帯型電話機の各部を制御する制御部であり、例えば、制御部３は無線部１を用いて、外部の情報発信手段であるインターネットとアクセスして、アニメーションファイルを画像データメモリ５にダウンロードする機能を有している。なお、無線部１及び制御部３からダウンロード手段が構成されている。
【００１５】
４は予め電話機メーカにより用意されたデフォルトのアニメーションファイルや静止画ファイルを格納する固定画像メモリ、５は外部の情報発信手段から取り込んだアニメーションファイルを一時的に格納する画像データメモリ、６は画像データメモリ５により一時的に格納されたアニメーションファイルを最終的に格納するアニメ画像メモリである。なお、固定画像メモリ４、画像データメモリ５及びアニメ画像メモリ６から内部メモリが構成されている。
【００１６】
７は画像データメモリ５に格納されたアニメーションファイルのファイル形式が所定のファイル形式と一致しない場合、アニメーションファイルのファイル形式を所定のファイル形式に変更して、アニメ画像メモリ６に格納するなどの処理を実行するとともに、携帯型電話機における所定の動作（例えば、音声着信、音声発信、メール着信、メール送信）を検知すると、アニメ画像メモリ６に格納したアニメーションファイルを解析する画像処理部、８は画像処理部７の解析結果にしたがって、アニメーションを表示部９に表示する表示制御部である。なお、画像処理部７及び表示制御部８から画像処理手段が構成されている。
【００１７】
９はアニメーションを表示する表示部（ディスプレイ）、１０はスピーカ１１やマイク１２を制御する音声制御部、１１はスピーカ、１２はマイクである。
図２はこの発明の実施の形態１による携帯型電話機の処理の流れを示すフローチャートであり、図３は携帯型電話機の動作概念を示す説明図である。
【００１８】
次に動作について説明する。
固定画像メモリ４には、予め電話機メーカにより用意されたアニメーションファイルや静止画ファイルが格納されているので、ユーザは操作部２を操作することにより、例えば、音声が着信するとアニメーションを表示するなどの設定を行うことができる。
【００１９】
しかし、予め用意されているアニメーションの中に、ユーザの好みのアニメーションが存在しない場合には、インターネットなどの外部の情報発信手段から所望のアニメーションファイルをダウンロードすることができる。
即ち、操作部２の操作内容にしたがって、制御部３が無線部１を制御することにより、例えば、インターネットと接続する（ステップＳＴ１）。
【００２０】
そして、制御部３は、インターネットとの接続に成功すると、例えば、図３に示すように、アニメーションファイルを提供するインターネットコンテンツ（例えば、アニメーションファイルの配信を業とする会社）とアクセスし、そのインターネットコンテンツから所望のアニメーションファイルを画像データメモリ５にダウンロードする（ステップＳＴ２）。ただし、インターネットコンテンツのアドレスは、予め、メモリに登録しておいてもよいし、操作部２から入力するようにしてもよい。
【００２１】
画像処理部７は、制御部３がアニメーションファイルを画像データメモリ５に格納すると、そのアニメーションファイルのファイル形式が所定のファイル形式（例えば、ＧＩＦ（Ｇｒａｐｈｉｃｓ  Ｉｎｔｅｒｃｈａｒｇｅ  Ｆｏｒｍａｔ）形式）と一致するか否かを調査し、アニメーションファイルのファイル形式が所定のファイル形式と一致しない場合には、アニメーションファイルのファイル形式を所定のファイル形式に変更する処理を実行する。
また、画像処理部７は、アニメーションファイルのデータサイズが、表示部９の画面サイズより大きい場合や小さい場合には、表示部９の画面サイズと合わせる必要があるので、アニメーションファイルにおける画像データを拡大・縮小する処理を実行する。ただし、画像データを縮小する処理には画像データの一部を削除する処理を含むものとする（図４を参照）。
【００２２】
画像処理部７は、上記の処理が完了すると、処理後のアニメーションファイルをアニメ画像メモリ６に格納して、アニメーションファイルのダウンロードを完了し、携帯型電話機における所定の動作（例えば、音声着信、音声発信、メール着信、メール送信）の検知処理を開始する。
所定の動作の検知処理は、実際には制御部３が実行するので、画像処理部７は、制御部３から動作検知信号を受けることにより、所定の動作が行われたことを認識する。
【００２３】
これにより、ユーザが操作部２を用いて音声着信を受けたとき、ダウンロードしたアニメーションを表示する設定を行った場合、画像処理部７は、制御部３から音声着信を示す動作検知信号を受けると、アニメ画像メモリ６からダウンロードしたアニメーションファイルをロードして、そのアニメーションファイルを解析し、表示制御部８が画像処理部７の解析結果にしたがって、アニメーションを表示部９に表示する（ステップＳＴ３、ＳＴ４）。逆に、ダウンロードしたアニメーションを表示する設定を行わない場合、固定画像メモリ４に格納されているデフォルトのアニメーションファイルを解析して、アニメーションを表示する（ステップＳＴ１１）。
【００２４】
同様に、ユーザが操作部２を用いて音声発信を行うとき、ダウンロードしたアニメーションを表示する設定を行った場合、制御部３が音声発信を示す動作検知信号を出力すると、ダウンロードしたアニメーションファイルを解析して、アニメーションを表示する（ステップＳＴ５、ＳＴ６）。逆に、ダウンロードしたアニメーションを表示する設定を行わない場合、デフォルトのアニメーションファイルを解析して、アニメーションを表示する（ステップＳＴ１１）。
【００２５】
また、ユーザが操作部２を用いてメール送信を行うとき、ダウンロードしたアニメーションを表示する設定を行った場合、制御部３がメール送信を示す動作検知信号を出力すると、ダウンロードしたアニメーションファイルを解析して、アニメーションを表示する（ステップＳＴ７、ＳＴ８）。逆に、ダウンロードしたアニメーションを表示する設定を行わない場合、デフォルトのアニメーションファイルを解析して、アニメーションを表示する（ステップＳＴ１１）。
【００２６】
さらに、ユーザが操作部２を用いてメール着信を受けたとき、ダウンロードしたアニメーションを表示する設定を行った場合、制御部３がメール着信を示す動作検知信号を出力すると、ダウンロードしたアニメーションファイルを解析して、アニメーションを表示する（ステップＳＴ９、ＳＴ１０）。逆に、ダウンロードしたアニメーションを表示する設定を行わない場合、デフォルトのアニメーションファイルを解析して、アニメーションを表示する（ステップＳＴ１１）。
【００２７】
なお、図３の例では、複数枚の静止画をコマ送り表示することにより、動画（アニメーション）を表示するものであるが、例えば、最初に表示する静止画には、つぼみ状態の花の画像を使用し、次に表示する静止画には、つぼみが少し開いた花の画像を使用し、最後に表示する静止画には、つぼみが完全に開いた花の画像を使用するようにしてもよい。この際に、最後の静止画を表示した後、最初の静止画に戻って繰り返し表示するようにしてもよい。
なお、言うまでもないが、静止画のコマ送り表示ではなく、連続的な動画（アニメーション）を表示するようにしてもよい。
【００２８】
以上で明らかなように、この実施の形態１によれば、インターネットとアクセスして、アニメーションファイルを内部メモリにダウンロードする一方、所定の動作を検知すると、内部メモリにダウンロードされているアニメーションファイルを解析して、アニメーションを表示部９に表示するように構成したので、ユーザが好みのアニメーションを表示することができる効果を奏する。
【００２９】
この実施の形態１では、アニメーションファイルを提供するインターネットコンテンツから所望のアニメーションファイルをダウンロードするものについて示したが、インターネットに開設されているホームページ中の配信可能な動画ファイル（アニメーションファイル）をダウンロードするようにしてもよい。
【００３０】
実施の形態２．
上記実施の形態１では、アニメーションファイルを提供するインターネットコンテンツから所望のアニメーションファイルをダウンロードするものについて示したが、これに限るものではなく、例えば、パーソナルコンピュータ、ビデオカメラ、データベースなどの外部メモリ等から所望のアニメーションファイルをダウンロードするようにしてもよい。
この場合、パーソナルコンピュータやビデオカメラ等と、無線通信が可能であれば、特別なインタフェースは不要であるが、無線通信が不可能な場合には、ＲＳ２３２Ｃ等のインタフェースを携帯型電話機に搭載する必要がある。
【００３１】
実施の形態３．
上記実施の形態１、２では、アニメ画像メモリ６及び固定画像メモリ４にはそれぞれ１個のアニメーションファイルが格納されているものとして説明したが、図５に示すように、複数個のアニメーションファイルがそれぞれ格納されるようにしてもよい。
【００３２】
この場合には、選択手段である操作部２を用いて、ユーザが解析対象のアニメーションファイルを選択するようにする。例えば、２番目にダウンロードしたアニメーションファイル（図５の例では、Ａ０２の画像データＹ）を使用するような設定を行う。
これにより、ユーザは、その時々の気分に応じて、アニメーションの表示内容を簡単に切り換えることができるなどの効果を奏する。
【００３３】
実施の形態４．
上記実施の形態３では、ユーザが解析対象のアニメーションファイルを選択するものについて示したが、図６に示すように、所定動作の種別毎に解析対象のアニメーションファイルを設定するようにしてもよい。図６の例では、音声着信時には１番目のデフォルトのアニメーションファイル（００１の画像データＡ）を使用し、音声発信時には１番目にダウンロードしたアニメーションファイル（Ａ０１の画像データＸ）を使用するように設定している。
【００３４】
ただし、この場合には、画像処理部７は制御部３から受ける動作検知信号より所定動作の種別を判別し、その判別結果に対応するアニメーションファイルを解析するようにする。
これにより、携帯型電話機の動作状況に応じて、アニメーションの表示内容を自動的に切り換えることができるので、ユーザは携帯型電話機の動作状況を簡単に把握することができる効果を奏する。
【００３５】
なお、ユーザが操作部２を用いて、アニメーションファイルと電話番号又はメールアドレスとの対応付けを行うこともできるが、このような対応付けが行われている場合には、画像処理部７は、その電話番号又はメールアドレスを送信元とする着信があると、その電話番号又はメールアドレスに対応するアニメーションファイルを解析して、アニメーションを表示するようにする。
これにより、例えば、着信相手である友人やグループ毎に、アニメーションを対応付けることができる効果を奏する。
【００３６】
実施の形態５．
上記実施の形態１〜４では、外部の情報発信手段はアニメーションファイルのみを送信するものについて示したが、外部の情報発信手段がアニメーションファイルを送信する際、そのアニメーションファイルの用途を指定するようにしてもよい。
【００３７】
具体的には、アニメーションファイルのヘッダ部分に用途を示す情報を付加して送信すると、携帯型電話機が当該ファイルの用途を認識し、その用途に対応する動作を検知したとき、そのアニメーションファイルを解析するようにする。例えば、当該ファイルは音声の着信時に使用するなどの用途指定があれば、音声着信を検知したとき、そのアニメーションファイルを解析して、アニメーションを表示するようにする。
これにより、例えば、着信相手である友人やグループ毎に、アニメーションを対応付けることができる効果を奏する。
【００３８】
実施の形態６．
上記実施の形態１〜５では、アニメーションファイルをダウンロードするものについて示したが、更に静止画ファイルをダウンロードして解析し、静止画を表示するようにしてもよい。
【００３９】
【発明の効果】
以上のように、この発明によれば、外部の情報発信手段とアクセスして、アニメーションファイルを内部メモリにダウンロードする一方、所定の動作を検知すると、内部メモリにダウンロードされているアニメーションファイルを解析して、アニメーションをディスプレイに表示するように構成したので、ユーザが好みのアニメーションを表示することができる効果がある。
また、内部メモリに複数のアニメーションファイルが格納され、そのアニメーションファイルが電話番号又はメールアドレスと対応付けられている場合には、その電話番号又はメールアドレスを送信元とする着信があると、その電話番号又はメールアドレスに対応するアニメーションファイルを解析するように構成したので、着信相手である友人やグループ毎に、アニメーションを対応付けることができる効果がある。
【００４０】
この発明によれば、外部の情報発信手段がアニメーションファイルを送信する際、そのアニメーションファイルの用途を指定する場合、その用途に対応する動作を検知したとき、そのアニメーションファイルを解析するように構成したので、着信相手である友人やグループ毎に、アニメーションを対応付けることができるなどの効果がある。
【００４１】
この発明によれば、インターネットからアニメーションファイルをダウンロードするように構成したので、外部の情報発信源として、インターネットを活用することができる効果がある。
【００４２】
この発明によれば、パーソナルコンピュータからアニメーションファイルをダウンロードするように構成したので、外部の情報発信源として、パーソナルコンピュータを活用することができる効果がある。
【００４３】
この発明によれば、ビデオカメラからアニメーションファイルをダウンロードするように構成したので、外部の情報発信源として、ビデオカメラを活用することができる効果がある。
【００４４】
この発明によれば、外部メモリからアニメーションファイルをダウンロードするように構成したので、外部の情報発信源として、データベースなどの外部メモリを活用することができる効果がある。
【００４５】
この発明によれば、ダウンロード手段によりダウンロードされたアニメーションファイルのファイル形式を所定のファイル形式に変更するように構成したので、ダウンロード手段によりダウンロードされたアニメーションファイルのファイル形式が所定のファイル形式と異なる場合でも、そのアニメーションファイルを利用することができる効果がある。
【００４６】
この発明によれば、ダウンロード手段によりダウンロードされたアニメーションファイルの画像サイズを、ディスプレイの画像サイズと一致するように変更する構成にしたので、ダウンロード手段によりダウンロードされたアニメーションファイルの画像サイズがディスプレイの画像サイズと一致しない場合でも、そのアニメーションファイルを利用することができる効果がある。
【００４７】
この発明によれば、ダウンロード手段が静止画ファイルをダウンロードした場合には、その静止画ファイルを解析して、静止画をディスプレイに表示するように構成したので、ユーザが好みの静止画を表示することができる効果がある。
【図面の簡単な説明】
【図１】この発明の実施の形態１による携帯型電話機を示す構成図である。
【図２】この発明の実施の形態１による携帯型電話機の処理の流れを示すフローチャートである。
【図３】携帯型電話機の動作概念を示す説明図である。
【図４】画像サイズの変更を説明する説明図である。
【図５】内部メモリの格納内容を示す説明図である。
【図６】アニメーションファイルの選択状況を示す説明図である。
【符号の説明】
１  無線部（ダウンロード手段）、２  操作部（選択手段）、３  制御部（ダウンロード手段）、４  固定画像メモリ（内部メモリ）、５  画像データメモリ（内部メモリ）、６  アニメ画像メモリ（内部メモリ）、７  画像処理部（画像処理手段）、８  表示制御部（画像処理手段）、９  表示部（ディスプレイ）、１０  音声制御部、１１  スピーカ、１２  マイク。
【図１】
0003560887.tif 000002
【図２】
0003560887.tif 000003
【図３】
0003560887.tif 000004
【図４】
0003560887.tif 000005
【図５】
0003560887.tif 000006
【図６】
0003560887.tif 000007